(57)【要約】【課題】鋏等の切断用具を用いることなく取り外すことができ、患者や新生児の安全を確保できると共に、取り外し作業を簡便化することができるリストバンドを提供することを課題とする。【解決手段】切り離し用切断線１６は、リストバンド１０の幅中心部分に形成された山形の切断線である摘み部１７と、摘み部１７からリストバンド１０の両側端方向に向けてそれぞれ斜めに延びている２本のミシン目線１８とからなる。切り離し用切断線１６の摘み部１７の頂点を手の指（爪）でめくり上げ、摘み部１７を掴んでミシン目線１８に沿って力が作用する方向に引っ張ることで、ミシン目線１８に沿ってリストバンド１０が切れ、鋏等の切断用具を用いることなく、リストバンド１０を取り外すことができる。【選択図】        図２
2004197266.tif 000002
【特許請求の範囲】
【請求項１】
手首や足首に環状に取り付けるリストバンドであって、
幅方向の中央近傍に設けられた全切断線からなる摘み部と、
該摘み部から両側端に向けて側端との間隔を漸減させるようにそれぞれ延びている２本の部分切断線からなるミシン目線とが形成されていることを特徴とするリストバンド。
【請求項２】
手首や足首の太さに応じて取り付ける太さを調整する調整手段を有し、
前記摘み部と前記ミシン目線とは、手首や足首に最も細く取り付けた際にも、環状部分に残る位置に形成されていることを特徴とする請求項１記載のリストバンド。
【請求項３】
前記摘み部には、中央の第１頂点と、当該第１頂点の両脇に前記第１頂点とは異なる向きの第２および第３頂点とが形成されており、
前記ミシン目線は、前記第２および第３頂点から両側端に向けて側端との間隔を漸減させるようにそれぞれ延びるように形成されていることを特徴とする請求項１又は２記載のリストバンド。
【発明の詳細な説明】
【０００１】
【発明の属する技術分野】
本発明は、手首や足首などに巻き付けるリストバンドに関し、特に手首や足首などに巻き付けて使用後、不要になった場合には、手首や足首などに巻き付けられた状態で切り離して取り外すリストバンドに関する。
【０００２】
【従来の技術】
従来、病院において患者や新生児を間違えないようにするために、患者名、入院日、年齢や血液型といった患者固有の識別データを表示したリストバンドが用いられるようになってきており、このようなリストバンドは、患者や新生児の手首あるいは足首などに巻き付けて使用されている。
【０００３】
リストバンドの取り付けは、リストバンドを患者や新生児の手首あるいは足首などに環状に巻き、リストバンド用クリップで固定することによって行われ、リストバンド用クリップは、一旦固定すると取り外しができない構成となっている。従って、退院等によってリストバンドが不要になった場合には、鋏等の切断用具でリストバンドを切り離している。
【０００４】
なお、リストバンドには、患者や新生児に取り付けるという理由から、肌に対する密着性が比較的良好なビニールで作製されたもの、患者固有の識別データを印字でき、かつ、安価に作製できるポリエチレンの不織布等の布帛や合成紙で作製されたもの（例えば、特許文献１参照）が存在するが、いずれの材質とも手で切れるものではなく、鋏等の切断用具でリストバンドを切り離している。
【０００５】
【特許文献１】
特開２００１−１３７０１７号公報
【０００６】
【発明が解決しようとする課題】
しかしながら、従来技術では、リストバンドの切り離しに鋏等の切断用具を用いる必要があり、患者や新生児の肌の近傍で鋏等の切断用具を用いるため、鋏等の切断用具が肌に触れた患者や新生児が驚いて動き、鋏等の切断用具によって患者や新生児を傷つけてしまう可能性があると共に、鋏等の切断用具を用いることが切り離し作業を煩わしいものにしてしまうという問題点があった。
【０００７】
本発明は斯かる問題点を鑑みてなされたものであり、その目的とするところは、鋏等の切断用具を用いることなく取り外すことができ、患者や新生児の安全を確保できると共に、取り外し作業を簡便化することができるリストバンドを提供する点にある。
【０００８】
【課題を解決するための手段】
本発明は上記課題を解決すべく、以下に掲げる構成とした。
請求項１記載の発明の要旨は、手首や足首に環状に取り付けるリストバンドであって、
幅方向の中央近傍に設けられた全切断線からなる摘み部と、該摘み部から両側端に向けて側端との間隔を漸減させるようにそれぞれ延びている２本の部分切断線からなるミシン目線とが形成されていることを特徴とするリストバンドに存する。
また請求項２記載の発明の要旨は、手首や足首の太さに応じて取り付ける太さを調整する調整手段を有し、前記摘み部と前記ミシン目線とは、手首や足首に最も細く取り付けた際にも、環状部分に残る位置に形成されていることを特徴とする請求項１記載のリストバンドに存する。
また請求項３記載の発明の要旨は、前記摘み部には、中央の第１頂点と、当該第１頂点の両脇に前記第１頂点とは異なる向きの第２および第３頂点とが形成されており、前記ミシン目線は、前記第２および第３頂点から両側端に向けて側端との間隔を漸減させるようにそれぞれ延びるように形成されていることを特徴とする請求項１又は２記載のリストバンドに存する。
【０００９】
【発明の実施の形態】
以下、本発明の実施の形態を図面に基づいて詳細に説明する。
【００１０】
（第１の実施の形態）
図１は、本発明に係るリストバンドの第１の実施の形態の構成を示す斜視図であり、図２は、図１に示すリストバンドの取り外し用切断線の構成を示す平面図である。
【００１１】
第１の実施の形態のリストバンド１０は、図１を参照すると、患者固有の識別データが文字やバーコードによって表示される表示部１１と、複数の調整穴１２が形成され、表示部１１よりも細身の調整穴形成部１３と、セット穴１４が形成され、表示部１１よりも細身のセット穴形成部１５とからなり、表示部１１、調整穴形成部１３およびセット穴形成部１５が一体構成となっている。調整穴形成部１３とセット穴形成部１５とは、手首や足首の太さに応じて取り付ける太さを調整する調整手段として機能し、患者や新生児の手首あるいは足首の太さに応じて複数の調整穴１２のいずれかとセット穴１４とを図示しないリストバンド用クリップで固定することにより、患者や新生児の手首あるいは足首に環状に取り付けられる。
【００１２】
また、リストバンド１０の調整穴形成部１３の表示部１１に最も近い調整穴１２と表示部１１との間には、リストバンド１０の幅中心から両側端方向に向けてそれぞれ斜めに延びている２本の切断線からなる切り離し用切断線１６が形成されている。切り離し用切断線１６は、図２を参照すると、リストバンド１０の幅中心部分に形成された山形の切断線である摘み部１７と、摘み部１７からリストバンド１０の両側端方向に向けてそれぞれ斜めに延びている２本のミシン目線１８とからなる。なお、摘み部１７を構成する切断線は、全面が切断された全切断線であり、ミシン目線１８を構成する切断線は、部分的に切断された部分切断線である。
【００１３】
さらに、２本のミシン目線１８は、それぞれリストバンド１０の両側端までは達しておらず、ミシン目線１８とリストバンド１０の側端との間には、切り残し部１９が存在し、リストバンド１０の両側端には、ミシン目線１８に向けての切り込みが存在しない構成となっている。従って、リストバンド１０を手で両側端側のいずれの方向からミシン目線１８に向けて切ろうとしても切れないようになっている。
【００１４】
患者や新生児の手首あるいは足首に取り付けたリストバンド１０を取り外す際には、切り離し用切断線１６の摘み部１７の頂点を手の指（爪）でめくり上げ、摘み部１７を掴んでミシン目線１８に沿って力が作用する方向（例えば、図２に矢印Ａで示す方向）に引っ張ることで、ミシン目線１８に沿ってリストバンド１０が切れ、鋏等の切断用具を用いることなく、リストバンド１０を取り外すことができる。
【００１５】
第１の実施の形態では、図１および図２を参照すると、切り離し用切断線１６の傾きを摘み部１７の頂点が表示部１１方向に向くように、すなわち表示部１１から遠ざかる方向に向けて２本のミシン目線１８の間隔が漸増するように構成したが、切り離し用切断線１６の傾きを摘み部１７の頂点が表示部１１と反対方向に向くように構成しても良い。
【００１６】
また、第１の実施の形態では、切り離し用切断線１６をリストバンド１０の調整穴形成部１３に形成するように構成したが、リストバンド１０を手首や足に最も細く取り付けた際に、切り離し用切断線１６が切り取られることなく手首や足首に取り付けられた環状部分に残る位置であれば、表示部１１やセット穴形成部１５に切り離し用切断線１６を形成するようにしても良い。
【００１７】
（第２の実施の形態）
図３は、本発明に係るリストバンドの第２の実施の形態の構成を示す平面図である。
【００１８】
第２の実施の形態は、図３を参照すると、切り離し用切断線１６（摘み部１７およびミシン目線１８）を曲線で形成している点が第１の実施の形態と異なっている。
【００１９】
第１の実施の形態のように摘み部１７を山形として頂点が存在する形状とすると、摘み部１７の頂点部分を掴みやすくなるが、一方、手首あるいは足首に取り付けた際に、摘み部１７の頂点部分が突出してしまい、突出した摘み部１７の頂点部分に予期せぬ力が加わり、まだ使用するリストバンド１０が切り離されてしまう可能性がある。そこで、第２の実施の形態では、摘み部１７を曲線で形成することにより、手首あるいは足首に取り付けた際の摘み部１７の突出量を減らすようにして、突出した摘み部１７に予期せぬ力が加わることを防止している。
【００２０】
また、第２の実施の形態では、ミシン目線１８も曲線で形成しているが、ミシン目線１８は、摘み部１７から側端側に向けて側端との間隔を漸減させるように形成されていれば、第１の実施の形態の直線で形成されたミシン目線１８と同様に作用する。
【００２１】
（第３の実施の形態）
図４は、本発明に係るリストバンドの第３の実施の形態の構成を示す平面図であり、図５は、図４に示すリストバンドの取り外し方法を説明するための説明図である。
【００２２】
第３の実施の形態は、摘み部１７の形状がＷ形となっており、中央の頂点２０と、中央の頂点２０の両脇に中央の頂点２０とは異なる向きの２つの頂点２１とが形成されており、ミシン目線１８は、両脇の２つの頂点２１からそれぞれリストバンド１０の両側端に向けてそれぞれ斜めに延びている。
【００２３】
リストバンド１０を手首あるいは足首に取り付けた際には、図５（ａ）に示すように、摘み部１７の、中央の頂点２０が突出してしまうが、突出した摘み部１７の中央の頂点２０に予期せぬ力が図５（ａ）および（ｃ）に示す矢印Ａの方向に加わったとしても、図５（ｃ）に示すように、ミシン目線１８の沿った方向に力が作用しないため、使用するリストバンド１０が切り取られてしまうことがない。
【００２４】
手首あるいは足首に取り付けたリストバンド１０を取り外す際には、図５（ｂ）に示す矢印Ｂの方向に摘み部１７を押し込み、摘み部１７を押し込むことによってできた間隙に指を入れて図５（ｃ）に示す矢印Ｃの方向に引っ張ることにより、ミシン目線１８に沿ってリストバンド１０が切れ、鋏等の切断用具を用いることなく、リストバンド１０を取り外すことができる。
【００２５】
以上説明したように、本実施の形態によれば、摘み部１７とミシン目線１８とからなる切り離し用切断線１６を形成することにより、摘み部１７を手で引っ張ることでミシン目線１８に沿ってリストバンド１０を切ることができるため、鋏等の切断用具を用いることなく取り外すことができ、患者や新生児の安全を確保できると共に、取り外し作業を簡便化することができるという効果を奏する。
【００２６】
さらに、本実施の形態によれば、摘み部１７とミシン目線１８とからなる切り離し用切断線１６を形成することにより、使用済みリストバンドを取り外す際に、鋏等の切断用具を用いる煩わしさから解消されて手で切り離すことができるため、例えば、スキー場のリフト券や、テーマパーク、遊園地等の入場券として快適に利用することができるという効果を奏する。
【００２７】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【００２８】
【発明の効果】
本発明のリストバンドは、摘み部とミシン目線とからなる切り離し用切断線を形成することにより、摘み部を手で引っ張ることでミシン目線に沿ってリストバンドを切ることができるため、鋏等の切断用具を用いることなく取り外すことができ、患者や新生児の安全を確保できると共に、取り外し作業を簡便化することができるという効果を奏する。
【００２９】
さらに、本発明のリストバンドは、摘み部１７とミシン目線１８とからなる切り離し用切断線１６を形成することにより、使用済みリストバンドを取り外す際に、鋏等の切断用具を用いる煩わしさから解消されて手で切り離すことができるため、例えば、スキー場のリフト券や、テーマパーク、遊園地等の入場券として快適に利用することができるという効果を奏する。
【図面の簡単な説明】
【図１】本発明に係るリストバンドの第１の実施の形態の構成を示す斜視図である。
【図２】図１に示すリストバンドの取り外し用切断線の構成を示す平面図である。
【図３】本発明に係るリストバンドの第２の実施の形態の構成を示す平面図である。
【図４】本発明に係るリストバンドの第３の実施の形態の構成を示す平面図である。
【図５】図４に示すリストバンドの取り外し方法を説明するための説明図である。
【符号の説明】
１０  リストバンド
１１  表示部
１２  調整穴
１３  調整穴形成部
１４  セット穴
１５  セット穴形成部
１６  切り離し用切断線
１７  摘み部
１８  ミシン目線
１９  切り残し部
２０、２１  頂点
【図１】
2004197266.tif 000003
【図２】
2004197266.tif 000004
【図３】
2004197266.tif 000005
【図４】
2004197266.tif 000006
【図５】
2004197266.tif 000007